(57)【要約】【課題】電線の保持力を確保する。【解決手段】本明細書によって開示される電線保持部材は、芯線２１を絶縁被覆２２で覆った被覆電線２０と、被覆電線２０の前端部において芯線２１を露出させた露出部２３を設けた状態で、被覆電線２０を前後方向に挿通させて収容するハウジング４０とを備えたシールドコネクタ１０であって、ハウジング４０は、絶縁被覆２２の前端部に前方から係止する位置決め突起４８と、絶縁被覆２２に食い込んだ状態となる食い込み部４９とを有する係止筒部４５を備えており、係止筒部４５には、係止筒部４５を絶縁被覆２２に向けて押圧する結束バンド６０が固定されている構成とした。【選択図】図５
2018085230.tif 000002
【特許請求の範囲】
【請求項１】
芯線を絶縁被覆で覆った電線と、
前記芯線の一部を露出させた露出部を設けた状態で、前記電線を前記電線の延び方向に挿通させて収容するハウジングとを備えた電線保持装置であって、
前記ハウジングは、前記絶縁被覆における前記露出部側の端部に前記電線の延び方向の前記露出部側から係止すると共に、前記絶縁被覆に食い込んだ状態となる係止部を有しており、
前記ハウジングには、前記係止部を前記絶縁被覆に向けて押圧する押圧部材が固定されている電線保持装置。
【請求項２】
前記係止部は、前記電線の延び方向である前後方向に延出された延出片と、
前記延出片から前記電線側に向けて突設され、前記絶縁被覆における前記露出部側の端部である前端部に前方から係止する位置決め突起と、
前記延出片から前記電線側に向けて突設され、前記絶縁被覆の外面に食い込む食い込み部とを有している請求項１に記載の電線保持装置。
【請求項３】
前記食い込み部の前端部は、前記電線の延び方向に対して垂直をなし、前記電線の前記絶縁被覆が前方から接触する係止面とされている請求項２に記載の電線保持装置。
【請求項４】
前記電線は前記ハウジングに後方から挿通されるようになっており、
前記食い込み部の後端部は、前方に向かうほど前記電線側に傾斜する案内面とされている請求項２または請求項３に記載の電線保持装置。
【請求項５】
前記延出片は、前方に向かって延出して設けられ、前記電線を前記ハウジングに挿通させる際に、前記食い込み部および前記位置決め突起と前記絶縁被覆とが干渉することで前記電線から離れる方向に弾性変位し、前記電線が正規の収容位置に配置されると、前記位置決め突起と前記絶縁被覆とによる干渉が解除されて前記位置決め突起が前記絶縁被覆の前端部の直前に配され、前記食い込み部が前記絶縁被覆に食い込む請求項２から請求項４のいずれか一項に記載の電線保持装置。
【請求項６】
前記係止部は、前記電線を囲むように前記電線の外周に複数配置されている請求項２から請求項５のいずれか一項に記載の電線保持装置。
【請求項７】
前記押圧部材は、前記複数の係止部を一括して束ねて前記延出片を前記電線に向けて押圧する帯状に設けられている請求項６に記載の電線保持装置。
【請求項８】
前記押圧部材は、前記食い込み部の前後方向の長さ寸法よりも前後方向に幅広な帯状をなし、前記延出片の前記食い込み部が配された内側とは反対側である外側に配されている請求項７に記載の電線保持装置。
【発明の詳細な説明】
【技術分野】
【０００１】
本明細書によって開示される技術は、電線保持装置に関する。
【背景技術】
【０００２】
例えば、端子が接続された複数の電線を保持する電線保持装置として、特開２０１４−２６７４６号公報（下記特許文献１）に記載のものが知られている。
この電線保持装置は、上下に対向して組み付けられる一対の保持部材を有しており、各保持部材に設けられた円弧状の保持溝によって各電線を上下方向両側から挟み込むことで複数の電線が一対の保持部材によって保持されるようになっている。
【先行技術文献】
【特許文献】
【０００３】
【特許文献１】特開２０１４−２６７４６号公報
【発明の概要】
【発明が解決しようとする課題】
【０００４】
ところで、一般に電線径は大きくなるほど、電線径に僅かなばらつきが生じる傾向がある。このため、上記のような電線保持装置を、電線径が太い太物電線に適用すると、電線径が僅かに細くなっている場合には、保持溝内において電線が位置ずれし易くなり、電線の保持力が低下することで、電線が保持部材から離脱してしまう虞がある。また、電線の経年劣化によって電線径が細くなる場合にも、電線を保持する保持力が低下してしまう。
【０００５】
本明細書では、電線の保持力を確保する技術を開示する。
【課題を解決するための手段】
【０００６】
本明細書によって開示される技術は、芯線を絶縁被覆で覆った電線と、前記芯線の一部を露出させた露出部を設けた状態で、前記電線を前記電線の延び方向に挿通させて収容するハウジングとを備えた電線保持装置であって、前記ハウジングは、前記絶縁被覆における前記露出部側の端部に前記電線の延び方向の前記露出部側から係止すると共に、前記絶縁被覆に食い込んだ状態となる係止部を有しており、前記ハウジングには、前記係止部を前記絶縁被覆に向けて押圧する押圧部材が固定されている構成とした。
【０００７】
このような構成の電線保持装置によると、絶縁被覆の端部と係止部とが前後方向に係止すると共に、係止部が前記絶縁被覆に食い込むことで、ハウジングに対する電線の保持力が確保され、電線がハウジングに対して電線の延び方向に位置ずれしたり、電線がハウジングから離脱したりすることを防ぐことができる。これにより、例えば、電線径にばらつきが生じたり、電線が経年劣化して電線径が細くなったりする場合においても、電線がハウジングに対して位置ずれしたり、電線がハウジングから離脱することを防ぐことができる。
【０００８】
本明細書によって開示される電線保持装置は、以下の構成としてもよい。
前記係止部は、前記電線の延び方向である前後方向に延出された延出片と、前記延出片から前記電線側に向けて突設され、前記絶縁被覆における前記露出部側の端部である前端部に前方から係止する位置決め突起と、前記延出片から前記電線側に向けて突設され、前記絶縁被覆の外面に食い込む食い込み部とを有している構成としてもよい。
【０００９】
このような構成によると、食い込み部が絶縁被覆の対面に食い込んでいるから、電線に対して前後方向に外力が加わった場合においても、電線がハウジングに対して電線の延び方向に位置ずれしたり、電線がハウジングから離脱したりすることを防ぐことができる。
また、電線に対して前方に向けて外力が加わった場合には、食い込み部に加え、絶縁被覆の前端部と位置決め突起とが前後方向に係止することで、電線のハウジングに対する前止まりをすることができる。これにより、ハウジングに対して電線を位置決めした状態で安定して保持することができる。
【００１０】
前記食い込み部の前端部は、前記電線の延び方向に対して垂直をなし、前記電線の前記絶縁被覆が前方から接触する係止面とされている構成としてもよい。
このような構成によると、電線が後方に引っ張られた際に、電線の絶縁被覆に食い込んだ食い込み部の係止面と電線の絶縁被覆とが前後方向に係止することで、ハウジングに対して電線が後方に位置ずれすることをさらに抑制することができ、電線の保持力をさらに高くすることができる。
【００１１】
前記電線は前記ハウジングに後方から挿通されるようになっており、前記食い込み部は、前記後端部が前方に向かうほど前記電線側に傾斜する案内面とされている構成としてもよい。
このような構成によると、ハウジングに対して電線を挿通する際に、電線の絶縁被覆が前端部案内面に案内されることで、例えば、食い込み部と電線の絶縁被覆とが引っ掛かるなどして絶縁被覆が損傷することを防ぐことができる。ひいては、位置決め突起および食い込み部と絶縁被覆との係止力が低下することを抑制することができる。
【００１２】
前記延出片は、前方に向かって延出して設けられ、前記電線を前記ハウジングに挿通させる際に、前記食い込み部および前記位置決め突起と前記絶縁被覆とが干渉することで前記電線から離れる方向に弾性変位し、前記電線が正規の収容位置に配置されると、前記位置決め突起と前記絶縁被覆とによる干渉が解除されて前記位置決め突起が前記絶縁被覆の前端部の直前に配され、前記食い込み部が前記絶縁被覆に食い込む構成としてもよい。
【００１３】
このような構成によると、ハウジングに対して電線を挿通する際に、食い込み部および位置決め突起と絶縁被覆とが干渉して延出片が弾性変位し、電線が正規の収容位置に配置されると、位置決め突起と絶縁被覆の前端部とが前後方向に係止可能となると共に、食い込み部が絶縁被覆に食い込むから、例えば、ハウジングに対して電線を正規の組み付け位置に配置した後に、絶縁被覆の前方に位置決め突起を配置すると共に、食い込み部を絶縁被覆に食い込ませる場合に比べて、係止部と電線との係止構造を容易に構成することができる。
【００１４】
前記係止部は、前記電線を囲むように前記電線の外周に複数配置されている構成としてもよい。
このような構成によると、係止部が電線を囲むように電線の外周に複数配置されているから、例えば、係止部を１つだけ設けたり、電線に対して偏って係止部を設けたりする場合に比べて、電線を周方向にバランスよく係止することができる。これにより、ハウジングに対する電線の保持力をさらに高くすることができ、電線を安定して保持することができる。
【００１５】
前記押圧部材は、前記複数の係止部を一括して束ねて前記延出片を前記電線に向けて押圧する帯状に設けられている構成としてもよい。
このような構成によると、帯状の押圧部材を複数の係止部の外周に巻き付けて束ねることで、複数の係止部における延出片を電線に向けて一括して押圧することができる。これにより、例えば、クリップ状の押圧部材を組み付ける場合に比べて、絶縁被覆に対して複数の係止部の延出片における食い込み部を絶縁被覆により深く容易に食い込ませることができる。
【００１６】
前記押圧部材は、前記食い込み部の前後方向の長さ寸法よりも前後方向に幅広な帯状をなし、前記延出片において前記食い込み部が配された内側とは反対側である外側に配されている構成としてもよい。
【００１７】
このような構成によると、食い込み部よりも前後方向に幅広な押圧部材によって、各食い込み部の外側から延出片を電線側に向けて押圧できるから、例えば、食い込み部よりも前後方向に幅狭な押圧部材や延出片の食い込み部とは異なる位置の外側に配置される押圧部材に比べて、食い込み部を絶縁被覆により確実に食い込ませることができる。
【発明の効果】
【００１８】
本明細書によって開示される技術によれば、電線の保持力を確保することができる。
【図面の簡単な説明】
【００１９】
【図１】シールドコネクタの斜視図
【図２】シールドコネクタの横断面図
【図３】シールドコネクタの縦断面図
【図４】図３のＡ−Ａ線における断面図
【図５】図４のＢ−Ｂ線の断面に相当するシールドコネクタの一部拡大断面図
【図６】シールドコネクタの一部分解斜視図
【図７】ハウジングの平面図
【図８】ハウジングの正面図
【図９】図８のＤ−Ｃ線断面図
【図１０】図８のＤ−Ｄ線断面図
【図１１】ハウジングに被覆電線を挿通した状態を示す縦断面図
【図１２】ハウジングに挿通された被覆電線に丸形端子を接続した状態を示す縦断面図
【発明を実施するための形態】
【００２０】
＜実施形態＞
本明細書に開示された技術における一実施形態について図１から図１２を参照して説明する。
本実施形態は、機器の図示しないケースに組み付けられるシールドコネクタ（「電線保持装置」の一例）１０を例示している。
【００２１】
シールドコネクタ１０は、図１から図３に示すように、被覆電線（「電線」の一例）２０と、被覆電線２０の端末に接続される丸形端子３０と、被覆電線２０を収容するハウジング４０と、ハウジング４０に組み付けられるシールドシェル８０とを備えて構成されている。なお、図１においては、シールドシェル８０を図示省略している。
【００２２】
被覆電線２０は、図２から図５に示すように、導電性に優れた複数の金属素線を撚り合わせて芯線２１を形成し、この芯線２１の周りを合成樹脂製の絶縁被覆２２で覆うことで形成されている。被覆電線２０の前端部(被覆電線２０の端末部分)は、絶縁被覆２２を皮剥ぎすることで、図２、図３および図５に示すように、芯線２１が露出した露出部２３とされており、絶縁被覆２２の前端部は露出部２３(芯線２１)よりも全周に亘って径方向外側に突出した形態となっている。
【００２３】
丸形端子３０は、導電性に優れた金属板材にプレス加工などを施すことで構成されており、図１から図３に示すように、平板状の端子接続部３１と、被覆電線２０に接続される電線接続部３２と、端子接続部３１と電線接続部３２とを繋ぐ繋ぎ部３３とを備えて構成されている。
【００２４】
端子接続部３１には、図示しないボルトが挿入通可能なボルト孔３１Ａが端子接続部３１の板厚方向である上下方向に貫通して設けられている。端子接続部３１は、ケース内に設けられた図示しないケース側端子に重ね合わせられ、ボルト孔３１Ａに挿通されたボルトによってボルト締めされることで、ケース側端子とボルト締結されるようになっている。
【００２５】
電線接続部３２は、被覆電線２０の芯線２１が載置される底板の幅方向両側の側縁に一対のバレル片３４が設けられた、いわゆるオープンバレル型とされている。電線接続部３２は、一対のバレル片３４を有しており、被覆電線２０の端末において絶縁被覆２２を皮剥ぎして露出させた芯線２１に一対のバレル片３４を幅方向両側から巻き付けるようにして圧着することで、被覆電線２０の芯線２１に電気的に接続されている。
【００２６】
繋ぎ部３３は、電線接続部３２から前方に僅かに延出された後、斜め前下方に延びた形態をなしており、繋ぎ部３３の前縁に端子接続部３１が連設されている。
【００２７】
ハウジング４０は、合成樹脂製であって、図２、図３、図９および図１０に示すように、前後方向に貫通する筒状をなしており、ケースに設けられた図示しない取付孔に嵌合可能な略円筒状のハウジング本体４１を有している。
【００２８】
ハウジング本体４１の前側外周面には、図２および図３に示すように、環状のゴムリングＲが装着されたシール装着溝４２が凹設されている。ゴムリングＲは、ハウジング本体４１がケースの取付孔に嵌合されると、取付孔の内周面とシール装着溝４２の奥面４２Ａとの間をシールするようになっている。
【００２９】
ハウジング本体４１内には、被覆電線２０が前後方向に貫通するように後方から挿通された状態で収容されるようになっている。被覆電線２０が、図２、図３および図５に示すように、ハウジング本体４１内の正規の収容位置に配置されると、被覆電線２０の絶縁被覆２２がハウジング本体４１から前方に引き出された状態となる。
【００３０】
ハウジング本体４１の内部は、図２、図３および図５に示すように、ハウジング本体４１の前後方向略中央部よりも後側が前側よりも拡幅されたゴム栓収容部４４とされている。ゴム栓収容部４４内には、被覆電線２０に外嵌された環状のゴム栓７０が後方から収容される。
【００３１】
ゴム栓７０は、図６に示すように、ゴム栓７０の外周面に形成された複数条の外周リップ７０Ａと、ゴム栓７０の内周面に形成された複数条の内周リップ７０Ｂとを有している。ゴム栓７０は、図２、図３および図５に示すように、ゴム栓収容部４４内の前端部である正規のゴム栓収容位置に収容されると、外周リップ７０Ａがゴム栓収容部４４の内周面に全周に亘って密着すると共に、内周リップ７０Ｂが被覆電線２０の絶縁被覆２２における外周面に全周に亘って密着することで、ハウジング本体４１と被覆電線２０との間をシールするようになっている。
【００３２】
また、ゴム栓収容部４４の後端部には、ゴム栓７０を後方に抜け止めするバックリテーナ７２が装着されている。バックリテーナ７２は、図２、図３および図６に示すように、略円筒状のリテーナ本体部７３と、リテーナ本体部７３の前端外周縁部にフランジ状に設けられたゴム栓抜止部７４とを備えて構成されている。
【００３３】
リテーナ本体部７３は、前後方向に長い形態とされており、リテーナ本体部７３の上下方向両端部には、外方に向かって突出した形態の一対のリブ７３Ａがリテーナ本体部７３の全長に亘って形成されている。また、リテーナ本体部７３の内部には、被覆電線２０が前後方向に挿通可能とされており、リテーナ本体部７３内に被覆電線２０が挿通されることで、被覆電線２０がハウジング４０から後方に真っ直ぐ引き出されるようになっている。
【００３４】
ゴム栓抜止部７４は、ゴム栓収容部４４の後端部内に収容可能とされており、ゴム栓抜止部７４がゴム栓収容部４４内の正規の抜止収容位置に収容されると、ゴム栓抜止部７４の前端面がゴム栓７０の後端面に当接すると共に、ハウジング本体４１の後端面とゴム栓抜止部７４の後端面とが面一となるように形成されている。
【００３５】
また、ゴム栓抜止部７４の外周面における上下方向両端部には、図３に示すように、ハウジング本体４１の上下方向両端部において内外に貫通して設けられた係止孔４１Ａに嵌合可能な係止突部７５が設けられている。係止突部７５は、ゴム栓抜止部７４がゴム栓収容部４４内の正規の抜止収容位置に収容されると、係止孔４１Ａに嵌合することで、ゴム栓抜止部７４を正規の抜止収容位置に保持し、ゴム栓７０がハウジング４０から脱落することを防ぐようになっている。
【００３６】
シールドシェル８０は、導電性を有する金属によって形成されている。また、シールドシェル８０は、図２および図３に示すように、バックリテーナ７２から後方に引き出される被覆電線２０を全周に亘って覆う略筒状に形成されており、シールドシェル８０の外周面には、シールドシェル８０から後方に引き出される被覆電線２０を覆う図示しない編組線が電気的に接続されるようになっている。また、シールドシェル８０は、図示しないケースにボルト締結されることで、ケースの外面に電気的に接続される。
【００３７】
さて、ハウジング４０は、図２、図３および図５に示すように、ハウジング本体４１の前端部に設けられた略円筒状の係止筒部（「係止部」の一例）４５を有している。係止筒部４５は、ハウジング本体４１よりも小径に形成されており、ハウジング本体４１におけるゴム栓収容部４４の前壁４４Ａから被覆電線２０の芯線２１が露出した位置まで被覆電線２０に沿うように前方に向かって真っ直ぐ延出された形態とされている。したがって、ハウジング本体４１の前端部は、係止筒部４５の外周にシール装着溝４２を有する大径筒部４３が配置された構成とされている。
【００３８】
係止筒部４５の内径寸法Ｄ１は、図５に示すように、被覆電線２０の外径寸法Ｄ２に適合した寸法とさており、係止筒部４５内には、ハウジング本体４１内を挿通された被覆電線２０が僅かな隙間Ｓ１を有する適合した状態で挿通されるようになっている。
【００３９】
また、係止筒部４５には、図６から図１０に示すように、係止筒部４５の前端からハウジング本体４１の前端位置よりもやや後方の位置まで前後方向に延びる複数のスリット４６が設けられている。
【００４０】
各スリット４６は、図８に示すように、係止筒部４５を内外に貫通するように設けられており、係止筒部４５の斜め上の２箇所と斜め下の２箇所の合計４箇所に形成されている。したがって、係止筒部４５は、各スリット４６によって分割されることで、前端部を自由端とすると共に、隣り合うスリット４６の後端位置の間を基端部とする径方向外側に弾性変位可能な上下左右の合計４つの弾性片（「延出片」の一例）４７によって構成されている。
【００４１】
言い換えると、各弾性片４７は、前端部を自由端とすると共に、隣り合うスリット４６の後端位置の間を基端部とする前方に向かって延出された形態をなしており、被覆電線２０を取り囲むように被覆電線２０の外周に均等に配置されている。
【００４２】
また、各弾性片４７は、図５、図８から図１０に示すように、被覆電線２０がハウジング本体４１の正規の収容位置に配された際に、被覆電線２０における絶縁被覆２２の前端面２２Ａに前方から係止可能な位置決め突起４８と、絶縁被覆２２の外面に食い込む食い込み部４９とを有している。
【００４３】
位置決め突起４８は、図８から図１０に示すように、弾性片４７の前端からやや後方の位置において、周方向略中央部に配されており、係止筒部４５において、上下左右の合計４箇所に設けられている。位置決め突起４８の突出寸法Ｄ３は、図２に示すように、被覆電線２０において芯線２１から絶縁被覆２２が突出した寸法Ｄ４とほぼ同じに設定されている。
【００４４】
位置決め突起４８の前端部には、図５に示すように、後方に向かうほど径方向内側(被覆電線２０側)に傾斜する傾斜面４８Ａが設けられており、位置決め突起４８の後端部には、被覆電線２０の延び方向である前後方向に垂直となる位置決め係止面４８Ｂが後方に臨むようにして設けられている。そして、被覆電線２０がハウジング本体４１の正規の収容位置に配されると、周方向にほぼ等間隔となる４箇所において位置決め係止面４８Ｂが、図２、図３および図５に示すように、絶縁被覆２２の前端面２２Ａの直線に近接して配され、絶縁被覆２２が４つの位置決め突起４８によって前方から係止可能な状態となる。
【００４５】
一方、食い込み部４９は、図８から図１０に示すように、弾性片４７の前後方向略中央部において、弾性片４７の両側縁部よりもやや径方向内側寄りの位置に一対ずつ配されており、係止筒部４５において周方向にほぼ等間隔となる８箇所設けられている。各食い込み部４９の突出寸法Ｄ５は、図５に示すように、位置決め突起４８よりも僅かに小さく、かつ係止筒部４５と被覆電線２０との間の隙間Ｓ１の寸法Ｄ６よりも大きい寸法に設定されている。
【００４６】
食い込み部４９の前端部には、被覆電線２０の延び方向である前後方向に対して垂直となる係止面４９Ａが前方に臨むようにして設けられており、食い込み部４９の後端部には、前方に向かうほど径方向内側(被覆電線２０側)に向かって傾斜する案内面４９Ｂが設けられている。
【００４７】
したがって、被覆電線２０が係止筒部４５内に後方から挿入される挿入過程では、被覆電線２０の絶縁被覆２２が食い込み部４９の案内面４９Ｂによって滑らかに前方に案内されると共に、食い込み部４９が絶縁被覆２２に乗り上げることで各弾性片４７が径方向外側に向かって弾性変位する。そして、被覆電線２０がハウジング本体４１の正規の収容位置に配されると、弾性片４７が前方に向かって真っ直ぐ延びた自然状態に戻ろうとする弾性力と、後述する結束バンド（「押圧部材」の一例）６０の締付力によって、図４および図５に示すように、周方向に並んだ８箇所の食い込み部４９が絶縁被覆２２の外周面に食い込んで各係止面４９Ａに絶縁被覆２２が前方から接触した状態となる。
【００４８】
また、係止筒部４５においてハウジング本体４１の前端から前方に突出した部分の外周面は、図２から図５に示すように、結束バンド６０が固定される固定部５０とされている。
【００４９】
結束バンド６０は帯状をなしており、例えば、合成樹脂製や金属性の公知の結束バンドとされている。結束バンド６０の幅寸法Ｄ７は、図５に示すように、食い込み部４９の前後方向の長さ寸法Ｄ８よりも大きく、かつハウジング本体４１の前端から突出した係止筒部４５の前後方向の長さ寸法Ｄ９よりも小さい長さ寸法に設定されている。
【００５０】
結束バンド６０は、図４に示すように、各弾性片４７を一括して１つに束ねるように固定部５０の前後方向略中央部の外周面に巻き付けて固定されており、結束バンド６０の締付力（巻き付け力）によって各弾性片４７を被覆電線２０に押し付けることで食い込み部４９を絶縁被覆２２の外周面に強制的に食い込ませる役割を果たしている。言い換えると、結束バンド６０は、各弾性片４７において食い込み部４９が配された内側とは反対側である径方向外側に固定されている。
【００５１】
一方、固定部５０における上下方向両端部（上下方向両端部における弾性片４７）の前端位置には、脱落防止突部５１が設けられている。
【００５２】
脱落防止突部５１は、径方向外側にブロック条に突出して設けられており、固定部５０に巻き付け固定された結束バンド６０を前方から係止することで、結束バンド６０が係止筒部４５から前方に脱落することを防ぐようになっている。
【００５３】
本実施形態は、以上のような構成であって、続いて、シールドコネクタ１０の組み立て手順を簡単に説明すると共に、作用および効果について説明する。
シールドコネクタ１０の組み立てでは、まず、絶縁被覆２２を皮剥ぎする前にゴム栓７０とバックリテーナ７２とを被覆電線２０に先通ししておき、その被覆電線２０を後方からハウジング４０のハウジング本体４１内に挿入して、ハウジング４０内に被覆電線２０を前後方向に挿通する。
【００５４】
この被覆電線２０の挿入過程では、被覆電線２０が係止筒部４５内に進入し、食い込み部４９の位置まで被覆電線２０が挿入されると、被覆電線２０の絶縁被覆２２が各弾性片４７の食い込み部４９における案内面４９Ｂに当接する。そのままさらに、被覆電線２０を挿入すると、食い込み部４９と絶縁被覆２２とが干渉することで、絶縁被覆２２が案内面４９Ｂによって滑らかに案内されると共に、各位置決め突起４８が絶縁被覆２２に乗り上げて各弾性片４７が径方向外側に向かって弾性変位する。そして、さらにそのまま被覆電線２０を挿入すると、位置決め突起４８と絶縁被覆２２とが干渉し、各弾性片４７が径方向外側に向かってさらに弾性変位することで、被覆電線２０がハウジング４０を前後方向に貫通するように挿通される。
【００５５】
次に、図１１に示すように、被覆電線２０の端末部分である前端部の絶縁被覆２２を皮剥ぎする。これにより、絶縁被覆２２の前端部は、芯線２１よりも全周に亘って径方向外側に突出した状態となる。
【００５６】
そして、図１２に示すように、露出した芯線２１に丸形端子３０における電線接続部３２の一対のバレル片３４を圧着し、被覆電線２０に丸形端子３０を電気的に接続する。
【００５７】
次に、被覆電線２０を後方に引き戻し、ハウジング４０に対して被覆電線２０を正規の収容位置まで引き戻すと、各位置決め突起４８と絶縁被覆２２との干渉が解除され、各弾性片４７が弾性力によって径方向内側に向かって弾性復帰する。これにより、各食い込み部４９が絶縁被覆２２の外周面に食い込んだ状態となる。このとき、位置決め突起４８と絶縁被覆２２との干渉は解除されているものの、食い込み部４９と絶縁被覆２２とは干渉したままとなっているため、弾性片４７の弾性復帰力が小さい場合には、弾性片４７は完全に弾性復帰せず、弾性片４７の弾性復帰力が大きい場合には、弾性片４７は完全に弾性復帰した状態とほぼ同じ状態となる。
【００５８】
最後に、結束バンド６０を係止筒部４５における固定部５０の前後方向略中央部に巻き付けて各弾性片４７（係止筒部４５）を一括して締め上げ、図２、図３および図５に示すように、各弾性片４７を被覆電線２０に押し付ける。これにより、各食い込み部４９が絶縁被覆２２に対してより深く食い込むと共に、位置決め突起４８が絶縁被覆２２の前端面２２Ａの前方に近接して配され、シールドコネクタ１０が完成する。
【００５９】
以上のようにして組み立てられたシールドコネクタ１０は、図８から図１０に示すように、係止筒部４５において位置決め突起４８および食い込み部４９を被覆電線２０の外周に均等に設けているから、被覆電線２０がハウジング４０に対して正規の収容位置に配置された際に、位置決め突起４８が絶縁被覆２２の前端面２２Ａの直前に近接して配されると共に、食い込み部４９が絶縁被覆２２に食い込ませることができ、さらには、係止筒部４５の固定部５０に結束バンド６０を固定することで、食い込み部４９を絶縁被覆２２に対して深く食い込ませることができる。
【００６０】
つまり、各位置決め突起４８の位置決め係止面４８Ｂと被覆電線２０の絶縁被覆２２の前端面２２Ａとが、周方向に４箇所において前後方向に係止することで、被覆電線２０のハウジング４０に対する前止まりがされる。
【００６１】
また、各食い込み部４９が絶縁被覆２２の外周面に食い込むことで、絶縁被覆２２が周方向に８箇所の係止面４９Ａに接触した状態となり、被覆電線２０のハウジング４０に対する後止まりがされると共に、ハウジング４０に対する被覆電線２０の保持力が確保されることで、被覆電線２０がハウジング４０から離脱ことが防がれる。
【００６２】
すなわち、従来のように、例えば、被覆電線を一対の保持部材によって上下方向両側から挟み込むことで被覆電線を保持する場合に比べて、電線径が太い太物電線を適用する際に電線径にばらつきが生じたり、被覆電線２０が経年劣化したりすることで被覆電線２０の外径が僅かに細くなったりする場合においても、被覆電線２０がハウジング４０に対して前後方向に位置ずれしたり、被覆電線２０がハウジング４０から離脱することを防ぐことができ、被覆電線２０をハウジング４０によって安定して保持することができる。
【００６３】
また、例えば、弾性片が１つだけ設けられている場合や複数の弾性片が被覆電線に対して偏って設けられている場合に比べて、ハウジング４０に対する被覆電線２０の保持力をバランスよく高めることができ、ハウジング４０によって被覆電線２０を安定して保持することができる。
【００６４】
また、本実施形態によると、最後に結束バンド６０を固定する必要があるものの、ハウジング４０の係止筒部４５に対して被覆電線２０を挿通させて、被覆電線２０を正規の収容位置に引き戻すだけで、位置決め突起４８の位置決め係止面４８Ｂが絶縁被覆２２の前端面２２Ａを前方から係止可能となると共に、食い込み部４９が絶縁被覆２２に食い込んだ係止構造を構成することができるから、例えば、ハウジングに対して被覆電線を正規の収容位置に配置した後に、位置決め突起４８を絶縁被覆２２の前方に配置すると共に、食い込み部を絶縁被覆に食い込ませる場合に比べて、被覆電線２０とハウジング４０との係止構造を容易に構成することができる。
【００６５】
また、本実施形態によると、各弾性片４７の食い込み部４９には、前方に向かうほど径方向内側に向かって傾斜する案内面４９Ｂを設けることで、被覆電線２０の絶縁被覆２２を前方に向かって滑らかに案内することができる。これにより、例えば、食い込み部４９と被覆電線２０の絶縁被覆２２とが引っ掛かるなどして絶縁被覆２２が損傷することを抑制することができる。ひいては、絶縁被覆２２と位置決め突起４８および食い込み部４９との係止力が低下することを抑制することができる。
【００６６】
さらに、本実施形態によると、食い込み部４９の前後方向の長さ寸法Ｄ８よりも幅広な結束バンド６０を固定部５０の前後方向略中央部の外周面に巻き付けることで、結束バンド６０を食い込み部４９の外周部分に配し、各弾性片４７を均等に被覆電線２０の絶縁被覆２２に押し付けて、食い込み部４９を絶縁被覆２２に対して深く食い込ませるようにしているから、例えば、食い込み部よりも前後方向に幅狭な押圧部材や弾性片の食い込み部とは異なる位置の外側に配置される押圧部材に比べて、食い込み部４９を絶縁被覆２２により確実に食い込ませることができる。つまり、ハウジング４０に対する被覆電線２０の保持力を周方向にバランスよく高めることができ、被覆電線２０をハウジング４０によって強固に保持することができる。
【００６７】
＜他の実施形態＞
本明細書で開示される技術は上記記述及び図面によって説明した実施形態に限定されるものではなく、例えば次のような種々の態様も含まれる。
（１）上記実施形態では、ハウジング４０に係止筒部４５が１つだけ設けられた構成にした。しかしながら、これに限らず、ハウジングに係止筒部が複数設けられることで、ハウジングに丸形端子および被覆電線が複数保持される構成にしてもよい。
【００６８】
（２）上記実施形態では、被覆電線２０の芯線２１に丸形端子３０の電線接続部３２における一対のバレル片３４を圧着した構成にした。しかしながら、これに限らず、被覆電線の芯線に雄端子や雌端子の一対のバレル片やクローズドバレルを圧着する構成にしてもよい。
【００６９】
（３）上記実施形態では、上下左右の４つの弾性片４７によって係止筒部４５を構成した。しかしながら、これに限らず、３つ以下の弾性片や５つ以上の弾性片によって係止筒部を構成してもよい。また、係止筒部を筒状ではなく、半割状の半割体で構成してもよい。
【００７０】
（４）上記実施形態では、各弾性片４７に、１つの位置決め突起４８と２つの食い込み部４９とを設けた構成とした。しかしながら、これに限らず、各弾性片に複数の位置決め突起を構成してもよく、３つ以上の食い込み部や周方向に大きな１つの食い込み部を設けた構成にしてもよい。
【符号の説明】
【００７１】
１０：シールドコネクタ（「電線保持装置」の一例）
２０：被覆電線（「電線」の一例）
２１：芯線
２２：絶縁被覆
４０：ハウジング
４５：係止筒部（「係止部」の一例）
４７：弾性片（「延出片」の一例）
４８：位置決め突起
４９：食い込み部
４９Ａ：係止面
４９Ｂ：案内面
６０：結束バンド（「押圧部材」の一例）
【図１】
2018085230.tif 000003
【図２】
2018085230.tif 000004
【図３】
2018085230.tif 000005
【図４】
2018085230.tif 000006
【図５】
2018085230.tif 000007
【図６】
2018085230.tif 000008
【図７】
2018085230.tif 000009
【図８】
2018085230.tif 000010
【図９】
2018085230.tif 000011
【図１０】
2018085230.tif 000012
【図１１】
2018085230.tif 000013
【図１２】
2018085230.tif 000014